(57)【要約】【課題】顔料系のブラックインクを用いたインクセットにおいて、布地などに画像を形成した場合であってもブラックインクのブリードが発生せず、また布地などの被画像形成物を洗濯しても、被画像形成物からインクが失われず初期の画像濃度が維持されるようにする。【解決手段】ブラックインクとして、黒色顔料と、カルボキシル基を有する樹脂粒子と、第１のｐＨ調整剤と、水溶性有機溶媒と、水とを含み、且つｐＨが８以上であるものを用いるとともに、ブラックインク以外のカラーインクとして、着色顔料と、アクリル系樹脂粒子と、第２のｐＨ調整剤と、水溶性有機溶媒と、水とを含み、且つｐＨが４．５以下であるものを用いる。【選択図】　なし【特許請求の範囲】
【請求項１】
ブラックインクとそれ以外のカラーインクとを含むカラーインクセットにおいて、
前記ブラックインクが、黒色顔料と、カルボキシル基を有する樹脂粒子と、第１のｐＨ調整剤と、水溶性有機溶媒と、水とを含み、且つｐＨが８以上であり、
前記カラーインクが、着色顔料と、アクリル系樹脂粒子と、第２のｐＨ調整剤と、水溶性有機溶媒と、水とを含み、且つｐＨが４．５以下であることを特徴とするインクセット。
【請求項２】
前記カルボキシル基を有する樹脂粒子が、ポリエステル樹脂、ポリウレタン樹脂、ポリオレフィン樹脂の少なくとも一つからなる樹脂粒子である請求項１記載のインクセット。
【請求項３】
前記第１のｐＨ調整剤が有機アミンである請求項１又は２記載のインクセット。
【請求項４】
前記第２のｐＨ調整剤が有機酸である請求項１〜３のいずれかに記載のインクセット。
【発明の詳細な説明】
【０００１】
【発明の属する技術分野】
本発明はブラックインクとそれ以外のカラーインクとを含むインクセットに関し、より詳細にはインクジェット方式の画像形成装置に用いられるインクセットに関するものである。
【０００２】
【従来の技術】
インクジェット方式の画像形成装置に用いるインクとして、色材として染料を用いるものが広く用いられているが、染料を用いたインクは一般に耐水性が劣っている。このため、紙以外の例えば布地などに画像形成する場合には、色材として顔料を用いたインクが用いられていた。しかし、顔料を用いたインク（以下、「顔料系インク」と記すことがある）で布地などに画像を形成すると、ブラックインクとそれ以外のカラーインクとの境界でブラックインクの激しいブリードが発生する。かかるブリードを防止するために、セルロースなどで布地を前処理することも考えられるが、前処理には多くのエネルギーが必要となる。また顔料系インクで画像形成し得る布地が限定される。
【０００３】
顔料系インクのブリードを抑えるため、例えば特開２００１−２９４７８８号公報では、シアン、マゼンタ、イエローのカラーインクに、ブラックインクのいずれかの成分を凝集させる凝集剤を含有させ、この凝集剤でブラックインク中の成分を凝集させて、顔料であるカーボンブラックの移動を抑える技術が提案されている。
【０００４】
この提案技術によればブラックインクのブリードをある程度抑えられると推測されるものの、この提案技術が前提としてる被画像形成物は主として紙であり、繊維間の間隙の大きい布地などの場合には紙ほどにはブリードを抑えられない。また、布地などの場合には洗濯されることが予定されるところ、前記提案の技術では洗濯によりインクが失われ画像濃度が薄くなることがある。
【０００５】
【発明が解決しようとする課題】
本発明はこのような従来の問題に鑑みてなされたものであり、その目的とするところは、布地などに画像を形成した場合であっても、顔料系ブラックインクのブリードが発生しないインクセットを提供することにある。
【０００６】
また本発明の目的は、布地などの被画像形成物を洗濯しても、被画像形成物からインクが失われず初期の画像濃度が維持されるインクセットを提供することにある。
【０００７】
【課題を解決するための手段】
本発明によれば、ブラックインクとそれ以外のカラーインク（以下、単に「カラーインク」と記すことがある）とを含むカラーインクセットにおいて、前記ブラックインクが、黒色顔料と、カルボキシル基を有する樹脂粒子と、第１のｐＨ調整剤と、水溶性有機溶媒と、水とを含み、且つｐＨが８以上であり、前記カラーインクが、着色顔料と、アクリル系樹脂粒子と、第２のｐＨ調整剤と、水溶性有機溶媒と、水とを含み、且つｐＨが４．５以下であることを特徴とするインクセットが提供される。
【０００８】
ここで、洗濯などによっても被画像形成物からインクが取れないようにする観点から、前記カルボキシル基を有する樹脂粒子は、ポリエステル樹脂、ポリウレタン樹脂、ポリオレフィン樹脂の少なくとも一つからなる樹脂粒子であるのが好ましい。
【０００９】
また、析出によるノズル詰まり防止の観点から、第１のｐＨ調整剤としては有機アミンが好ましく、第２のｐＨ調整剤としては有機酸が好ましい。
【００１０】
【発明の実施の形態】
本発明者は、顔料系ブラックインクのブリードを防止し、且つ被画像形成物を洗濯しても、被画像形成物からインクが失われないようにできないか鋭意検討を重ねた結果、カルボキシル基を有する樹脂粒子はアルカリ性領域では溶媒中に安定して分散する一方、酸性領域になると凝集する特性のあることを見出し本発明をなすに至った。すなわち、本発明の大きな特徴は、前記の樹脂粒子をブラックインクの結着樹脂として用いると共に、ブラックインクのｐＨをアルカリ性とする一方、カラーインクのｐＨを酸性としておくことにより、ブラックインクとカラーインクとの接触部分においてブラックインクの結着樹脂を凝集させ、この結着樹脂の凝集に伴って結着樹脂間に黒色顔料を取り込まれるようにし、ブラックインクのブリードを効果的に防止したことにある。
【００１１】
カルボキシル基を有する樹脂粒子が、アルカリ性領域では溶媒中に安定して分散する一方、酸性領域では凝集する具体的な機構については未だ充分には解明できていないが、アルカリ性領域では樹脂粒子中のカルボキシル基が電離して−ＣＯＯ−となって界面活性作用を奏するのに対し、酸性領域ではカルボキシル基の電離が少なくなり、この結果樹脂粒子が凝集するのではないかと今のところ推測している。本発明者が行った実験によれば、ブラックインク中に樹脂粒子を安定に分散させておくためにはｐＨを８以上とする必要があり、反対に樹脂粒子を凝集させるためにはｐＨを４．５以下とする必要がある。
【００１２】
このように樹脂粒子の凝集により、樹脂粒子間に黒色顔料を取り込まれるようにすると、凝集剤によって黒色顔料を凝集させた場合に比べて被画像形成物に対する黒色顔料の固着強度が強くなり、洗濯など大きな外力が加わっても分離することがない。
【００１３】
本発明で使用できる、カルボキシル基を有する樹脂粒子としては、特に限定はなく従来公知の樹脂粒子を用いることができるが、洗濯堅牢度などの観点からはポリエステル樹脂及びポリウレタン樹脂、ポリオレフィン樹脂の少なくとも１種からなる樹脂粒子が好ましく、この中でもポリエステル樹脂からなる樹脂粒子が特に好ましい。
【００１４】
カルボキシル基を有する樹脂粒子がポリエステル樹脂からなる場合、主として多価カルボン酸類と多価アルコール類との縮重合により得ることができる。ポリエステル樹脂に用いる多価カルボン酸類としては、例えばフタル酸、イソフタル酸、テレフタル酸、１，２，４−ベンゼントリカルボン酸、２，５，７−ナフタレントリカルボン酸、１，２，４−ナフタレントリカルボン酸、ピロメリット酸等の芳香族多価カルボン酸；マロン酸、マレイン酸、フマル酸、コハク酸、メサコン酸、シトラコン酸、グルタコン酸等の脂肪族ジカルボン酸；シクロヘキサンジカルボン酸、メチルメジック酸等の脂環式ジカルボン酸；これらカルボン酸の無水物や低級アルキルエステルが挙げられ、これらの１種又は２種以上が使用される。
【００１５】
ポリエステル樹脂に用いる多価アルコール類としては、例えばエチレングリコール、１，４−ブテンジオール等のアルキレングリコール類；ジエチレングリコール、トリエチレングリコール、ジプロピレングリコール、ポリエチレングリコール、ポリプロピレングリコール、ポリテトラメチレングリコール等のアルキレンエーテルグリコール類；１，４−シクロヘキサンジメタノール、水素添加ビスフェノールＡ等の脂環族多価アルコール類；ビスフェノールＡ、ビスフェノールＦ、ビスフェノールＳ等のビスフェノール類及びビスフェノール類のアルキレンオキサイドを挙げることができ、これらの１種又は２種以上が使用される。
【００１６】
ポリエステル樹脂にカルボキシル基を存置するには、カルボン酸単量体の割合をアルコール単量体よりも多くするか、あるいはアルコール単量体を多く使用する場合には適量な酸価まで反応が進行した時点で反応を終了すればよい。
【００１７】
また分子量の調整や反応の制御を目的として、モノカルボン酸、モノアルコールを必要により使用してもよい。モノカルボン酸としては、例えば安息香酸、パラオキシ安息香酸、トルエンカルボン酸、サリチル酸、酢酸、プロピオン酸及びステアリン酸などが挙げられる。モノアルコールとしては、ベンジルアルコール、トルエン−４−メタノール、シクロヘキサンメタノールなどのモノアルコールが挙げられる。
【００１８】
前記樹脂粒子の粒径としては特に限定はなく、インク滴の大きさや黒色顔料の大きさ等から適宜決定すればよい。一般に黒色顔料と略同等の大きさであるのが好ましく、平均粒径としては０．１μｍ以下が好ましい。また前記樹脂粒子の含有量はインクに対して１〜１５ｗｔ％の範囲が好ましい。前記樹脂粒子の含有量が１ｗｔ％より少ないと、樹脂粒子の凝集による黒色顔料の取り込みが不十分となりブリードが発生すると共に洗濯による色落ちが発生するおそれがある。一方、含有量が１５ｗｔ％を超えると、ブラックインクの粘度が上昇しインクヘッドからのインクの吐出に支障が出るおそれがあるからである。より好ましい含有量は２〜１０ｗｔ％の範囲である。
【００１９】
本発明に使用できるポリエステル樹脂からなる樹脂粒子で市販されているものとしては、例えばユニチカ社製「ＫＺＡ−５０３４Ｓ」などが挙げられる。
【００２０】
本発明で使用するブラックインクは、前記通り通常はそのｐＨをアルカリ性領域にしておく必要がある。具体的にはｐＨを８以上にしておく必要がある。そこで第１のｐＨ調整剤をブラックインクに含有させて、ブラックインクのｐＨをこのような範囲に調整する。ここで使用できる第１のｐＨ調整剤としては、例えばトリエタノールアミンやジエタノールアミンなどの有機アミン；アンモニアなどの揮発性物質；ＮａＯＨなどのアルカリなどが挙げられる。この中でも析出によるノズル詰まり防止の点から有機アミンが好ましい。ブラックインクのより好ましいｐＨは８．５以上である。
【００２１】
本発明で使用できる黒色顔料としては特に限定はなく従来公知のものを使用できる。例えば、ファーネスブラック、チャンネルブラック、サーマルブラック、アセチレンブラック、ランプブラック、アニリンブラック等のカーボンブラックが挙げられ、この中でもファーネスブラックが好適である。黒色顔料の粒径に特に限定はないが分散性などの観点からは０．２μｍ以下が好ましい。またその含有量はインクに対して０．１〜２０ｗｔ％の範囲が好ましい。黒色顔料の含有量が０．１ｗｔ％より少ないと着色力不足になるおそれがあり、反対に含有量が２０ｗｔ％より多いとインクヘッドの吐出口が目詰まりするおそれがあるからである。より好ましくは０．５〜１０ｗｔ％の範囲である。使用できる市販のカーボンブラックとしては例えば、Ｐｒｉｎｔｅｘ７５，８０，８５，９０，９５，Ｌ，Ｕ，Ｖ（以上、デグサ社製）；ＭＡ１００，ＭＡ７，＃３０，＃３２，＃３３，＃４０，＃５０，＃８５０，＃９００，＃９５０，＃１０００，＃２３００（以上、三菱化学社製）；Ｒｅｇａｌ３３０Ｒ，４００Ｒ，５００Ｒ，６６０Ｒ，９９Ｉ；Ｂｌａｃｋ　Ｐａｒｌｅｓ７００，８００，８８０，１０００，１１００（以上、キャボット社製）などが挙げられる。
【００２２】
本発明で使用できる水としては、イオン交換水や蒸留水などの純度の高いものが好ましい。また水溶性有機溶媒としては、例えばグリセリン、エチレングリコール、ジエチレングリコール、トリエチレングリコール、プロピレングリコール、ブチレングリコール、ポリエチレングリコールなどのグリコール；メチルアルコールやエチルアルコールなどの低級アルキルアルコール；ジメチルホルムアミドやジメチルアセトアミドなどのアミド類；テトラヒドロフランやジオキサンなどのエーテル類；エチレングリコールモノメチルエーテルやジエチレングリコールメチルエーテルなどの多価アルコールの低級アルキルエーテル類などが挙げられる。この中でも乾燥を防止すると共にブリードを防止する観点からはグリセリンが好ましい。水溶性有機溶媒の含有量はインクに対して５〜６０ｗｔ％の範囲が好ましい。含有量が５ｗｔ％より少ないとインクが乾燥しやすくなり、反対に含有量が６０ｗｔ％より多いと、インクの粘度が高くなってインクヘッドからのインクを吐出させるためのエネルギーが多く必要となるからである。より好ましい含有量は１０〜５０ｗｔ％の範囲である。
【００２３】
次に、本発明で使用するカラーインクについて説明する。まずカラーインクに含有させる着色顔料としては例えば、イエロー着色顔料としては、Ｃ．Ｉ．ピグメントイエロー１、Ｃ．Ｉ．ピグメントイエロー５、Ｃ．Ｉ．ピグメントイエロー１２、Ｃ．Ｉ．ピグメントイエロー１５、Ｃ．Ｉ．ピグメントイエロー１７、Ｃ．Ｉ．ピグメントイエロー１８０、Ｃ．Ｉ．ピグメントイエロー７４、Ｃ．Ｉ．ピグメントイエロー４、Ｃ．Ｉ．ピグメントイエロー８１、Ｃ．Ｉ．ピグメントイエロー９７、Ｃ．Ｉ．ピグメントイエロー９３等のアゾ系顔料；黄色酸化鉄、黄土などの無機系顔料などが挙げられる。マゼンタ着色顔料としては、Ｃ．Ｉ．ピグメントレッド４９、Ｃ．Ｉ．ピグメントレッド５７、Ｃ．Ｉ．ピグメントレッド８１、Ｃ．Ｉ．ピグメントレッド１２２、Ｃ．Ｉ．ピグメントレッド１８４、Ｃ．Ｉ．ピグメントレッド２３８等が挙げられる。シアン着色顔料としては、Ｃ．Ｉ．ピグメントブルー１５、Ｃ．Ｉ．ピグメントブルー１６等が挙げられる。これら着色顔料の１種又は２種以上を組み合わせて使用してももちろん構わない。着色顔料の粒径に特に限定はないが分散性などの観点からは、０．２μｍ以下が好ましい。またその含有量はインクに対して０．１〜２０ｗｔ％の範囲が好ましい。着色顔料の含有量が０．１ｗｔ％より少ないと着色力不足になるおそれがあり、反対に含有量が２０ｗｔ％より多いとインクヘッドの吐出口が目詰まりするおそれがあるからである。より好ましくは０．５〜１０ｗｔ％の範囲である。
【００２４】
カラーインクに用いるアクリル系樹脂粒子は、ポリアクリル酸又はポリアクリル酸エステルを主成分とする樹脂粒子であって、使用できる単量体としては、（メタ）アクリル酸やメチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレート、２−エチルヘキシル（メタ）アクリレート、オクチル（メタ）アクリレート、シクロプロピル（メタ）アクリレート、シクロペンチル（メタ）アクリレート、シクロヘキシル（メタ）アクリレート、シクロヘプチル（メタ）アクリレート、シクロオクチル（メタ）アクリレート、フェニル（メタ）アクリレート、ベンジル（メタ）アクリレート、トリル（メタ）アクリレート、チシリル（メタ）アクリレート、フェネチル（メタ）アクリレート等の（メタ）アクリル酸エステルが挙げられる。
【００２５】
また本発明では前記の通り、使用するカラーインクのｐＨを４．５以下とすることが重要である。カラーインクのｐＨが４．５より高いと、ブラックインクがカラーインクに接触した時にブラックインク中の樹脂粒子が充分に凝集しないからである。カラーインクのより好ましいｐＨは２．７以下である。ｐＨをこのような範囲に調整するために、カラーインクに第２のｐＨ調整剤を添加する。第２のｐＨ調整剤としては、例えば乳酸、クエン酸、グルコン酸など有機酸；ＨＣｌやＨ２ＣＯ３などの無機酸など挙げられる。この中でも析出によるノズル詰まり防止の点から有機酸が好ましい。
【００２６】
カラーインクで使用する水溶性有機溶媒および水としては、ブラックインクで例示したものがここでも使用できる。
【００２７】
ブラックインク及びカラーインクには、その他、分散剤や界面活性剤、粘度調整剤、表面張力調整剤、防腐・防かび剤など従来公知のインク成分を必要により、本発明の効果を害さない範囲において添加しても構わない。
【００２８】
本発明で使用するブラックインク及びカラーインクは従来公知の方法で作製できる。例えば、顔料と樹脂粒子、ｐＨ調整剤、水溶性有機溶媒とを水に投入して前混合した後、ボールミル、アトライター、サンドグライダ、三本ロール、高速インペラーミル、ジェットミル、ニーダ、ペイントシェーカー、ホモジナイザー、超音波分散機などの従来公知の分散機を用いて分散混合し、ブラックインク又はカラーインクとする。分散混合時間は一般に０．５〜２０ｈ程度である。また、分散混合後に遠心分離器を用いて粗大粒子を除去してもよい。
【００２９】
本発明のインクセットは、以上説明したブラックインクとカラーインクとを含むものであり、カラーインクは１色でもよいし２色以上でもよい。フルカラー画像を得るためには、ブラックインクと、シアン・マゼンタ・イエローの３色カラーインクの組み合わせが望ましい。もちろんそれ以外に白色や金属色などのカラーインクを組み合わせて用いても構わない。
【００３０】
本発明のインクセットは、従来公知のインクジェット方式の画像形成装置に用いることができ、ブラックインクによる画像形成はカラーインクによる画像形成の前・後のいずれでもよいが、ブラックインクのブリードをより効果的に防ぐにはカラーインクによって画像形成を行った後にブラックインクによる画像形成を行うのがよい。また、被画像形成物に限定はなく、紙類の他、布地類などであってもよい。被画像形成物に形成された画像は、ホットプレスやオーブンによって加熱定着させる。加熱条件としては例えば加熱温度は１５０〜２００℃、加熱時間は０．１〜５分間である。
【００３１】
【実施例】
以下、本発明を実施例、比較例に基づいてさらに具体的に説明するが、本発明はこれらに何ら限定されるものではない。
【００３２】
（ブラックインクの作製）
黒色顔料としてのカーボンブラック、カルボキシル基を有する樹脂粒子（ユニチカ社製「ＫＺＡ−５０３４Ｓ」）、第１のｐＨ調整剤（トリエタノールアミン）、水溶性有機溶媒（グリセリン）、分散剤（変性ポリアクリル酸）、界面活性剤（アセチレングリコール）、純水を、表１に示す割合でそれぞれ分散機に投入して分散混合し、ブラックインクＡ〜Ｌまでの１２種類のブラックインクを作製した。作製した各ブラックインクのｐＨと粘度を表１に合わせて示す。なお、ｐＨが５以下であるブラックインクＫ、Ｌについては、インクがゲル化していまったので粘度の測定は行えなかった。
【００３３】
【表１】
2004083688.tif 000002
【００３４】
（イエローインクの作製）
黄色顔料（Ｃ．Ｉ．Ｐｉｇｍｅｎｔ　Ｙｅｌｌｏｗ　１７）、アクリル樹脂（昭和高分子社製「ＡＴ−１９１」）、第２のｐＨ調整剤（５０％グルコン酸水溶液又は乳酸又はクエン酸）、水溶性有機溶媒（グリセリン）、分散剤（変性ポリアクリル酸）、界面活性剤（アセチレングリコール）、純水を、表２に示す割合でそれぞれ分散機に投入して分散混合し、イエローインクＩ〜ＩＸまでの９種類のイエローインクを作製した。作製した各イエローインクのｐＨと粘度を表２に合わせて示す。
【００３５】
【表２】
2004083688.tif 000003
【００３６】
（実施例１〜２１、比較例１〜６）
作製したブラックインクとイエローインクを表３〜表５に示すように組み合わせてインクセットとし、インクジェット方式の画像形成装置に装着して、白色シャツ（Ｈａｎｅｓ社製「Ｈａｎｅｓ　ＢＥＥＦＹ−Ｔ」）に黒色部分と黄色部分とが接触するように画像を形成した後、ホットプレス（１８０℃×３０ｓｅｃ）でインクを溶融定着させた。そして、黒色部分と黄色部分のと境界において、黄色領域にブラックインクのヒゲ状のブリードがあるかどうかを目視により観察し、下記基準により評価した。結果を表３〜表５に示す
「◎」：ブラックインクのブリードがなく、境界部分が鮮明に分かれている。
「○」：境界部分がぼやけている。
「×」：ブラックインクのヒゲ状のブリードあり。
【００３７】
【表３】
2004083688.tif 000004
【００３８】
【表４】
2004083688.tif 000005
【００３９】
【表５】
2004083688.tif 000006
【００４０】
表３〜表５から明らかなように、実施例１〜２１のインクセットではブラックインクのヒゲ状のブリードは発生しなかった。これに対し、ｐＨが７．９のイエローインクＩを用いた比較例１〜３、及びｐＨが４．６のイエローインクＩＸを用いた比較例４〜６のインクセットでは、いずれもブラックインクのヒゲ状のブリードが発生した。
【００４１】
（比較例７）
前記と同様にして、下記組成からなるブラックインクとイエローインクとを作製し、これをインクセットとした。
ブラックインク
カーボンブラック　　　　　　　　　　　　５ｗｔ％
水溶性有機溶媒（グリセリン）　　　　　５０ｗｔ％
分散剤（変性ポリアクリル酸）　　　　　　１ｗｔ％
界面活性剤（アセチレングリコール）　０．５ｗｔ％
純水　　　　　　　　　　　　　　　４３．５ｗｔ％
イエローインク
黄色顔料（Ｃ．Ｉ．Ｐｉｇｍｅｎｔ　Ｙｅｌｌｏｗ　１７）　　２．５ｗｔ％
水溶性有機溶媒（グリセリン）　　　　　５０ｗｔ％
分散剤（変性ポリアクリル酸）　　　　　　２ｗｔ％
界面活性剤（アセチレングリコール）　０．５ｗｔ％
純水　　　　　　　　　　　　　　　　　４５ｗｔ％
【００４２】
（洗濯堅牢性の評価）
下記組成の前処理液を前記白色シャツに噴霧した後、比較例７のインクセットを用いて前記画像形成装置で画像を形成した。そして、このシャツを洗濯機に入れ３０分間すすぎ処理を行った。
前処理液
純水　　　　　　　８５ｗｔ％
エタノール　　　　１０ｗｔ％
高分子凝集剤　　　５ｗｔ％
（三洋化成社製「カチオマー３００」）
【００４３】
実施例７のインクセットを用いて画像形成した前記シャツを洗濯機に入れ、同様に３０分間すすぎ処理を行った。そして、これらの実施例７と比較例７のインクセットで、黒色部分と黄色部分のと境界における黄色領域にブラックインクのヒゲ状のブリードがあるかどうかを目視により観察すると共に、すすぎ処理前・後の黒色部分の濃度を測定した。結果を表６に示す。
【００４４】
【表６】
2004083688.tif 000007
【００４５】
表６から明らかなように、実施例７のインクセットで形成した画像では、ブラックインクのブリードは発生せず、またすすぎ処理の前後で黒色部分の濃度低下が０．１であった。これに対し、比較例７のインクセットで形成した画像では、ブラックインクのブリードが若干発生し、すすぎ処理後の黒色部分の濃度が処理前に比べて０．３も低下していた。
【００４６】
【発明の効果】
本発明のインクセットでは、ブラックインクとして、黒色顔料と、カルボキシル基を有する樹脂粒子と、第１のｐＨ調整剤と、水溶性有機溶媒と、水とを含み、且つｐＨが８以上であるものを用いるとともに、ブラックインク以外のカラーインクとして、着色顔料と、アクリル系樹脂粒子と、第２のｐＨ調整剤と、水溶性有機溶媒と、水とを含み、且つｐＨが４．５以下であるものを用いるので、布地などに画像を形成した場合であっても、顔料系ブラックインクのブリードが発生しない。また布地などの被画像形成物を洗濯しても、被画像形成物からインクが失われず初期の画像濃度が維持される。